(57)【要約】【課題】本体と操作部が分離した商品において、本体が同じで操作部や表示部が異なる複数の商品開発を可能とする。【解決手段】被加熱物を載置する加熱室２と操作部５と加熱制御部２４を分割した制御基板２３、２５と、制御基板２３には操作部５を有し、操作部５は調理メニューを設定する入力手段８と設定内容を表示する表示手段１３と操作部５を制御するマイコン９とを有し、制御基板２５には加熱制御部２４を有し、加熱制御部２４には被加熱物を加熱する加熱手段２２と加熱制御部２４を制御するマイコン１５で構成され、マイコンの制御方法として、マイコン９には入力手段８からの情報を制御する入力制御手段１０と表示手段１３に表示する表示制御手段１２を有し、マイコン１５は、加熱手段２２を制御する加熱制御手段２１を有し、マイコン９、１５を接続する通信制御部１４、１６と調理の設定や状態を管理する状態管理手段１１、１７を各マイコンが有する。【選択図】図１
2009276016.tif 000002
【特許請求の範囲】
【請求項１】
被加熱物を載置するための加熱室と、操作部と加熱制御部を分割した２つ以上の制御基板と、第１の前記制御基板には前記操作部を有し、前記操作部には、調理メニューなどを設定する入力手段と、設定された内容などを表示する表示手段と、前記操作部の制御を行う第１のマイコンとを有し、第２の前記制御基板には前記加熱制御部を有し、前記加熱制御部には、被加熱物を加熱する加熱手段と、前記加熱制御部の制御を行う第２のマイコンにより構成され、前記２つのマイコンの制御方法として、第１のマイコンには、前記入力手段からの情報を制御する入力制御手段と、前記表示手段に表示を行う表示制御手段を有し、第２のマイコンには、前記加熱手段を制御する加熱制御手段を有し、前記２つのマイコンを接続するための通信制御部と、調理の設定状態や調理状態を管理する状態管理手段をそれぞれのマイコンに有する構成とした加熱装置。
【請求項２】
省エネのための消費電力を削減する方法として、前記２つのマイコンのうち、１つのマイコンの電源を遮断する構成とした請求項に１記載の加熱装置。
【請求項３】
省エネのための消費電力を削減する方法として、前記２つのマイコンのうち、前記加熱制御手段を有する前記第２のマイコンの電源を遮断する構成とした請求項２に記載の加熱装置。
【請求項４】
本体は共用で、操作部のみが異なる複数の加熱装置において、前記２つのマイコンのうち、前記加熱制御手段を有する第２のマイコンを共用し、前記操作部を有する前記第１のマイコンを交換することにより、複数の加熱装置を開発可能な構成とした請求項１〜３のいずれか１項に記載の加熱装置。
【発明の詳細な説明】
【技術分野】
【０００１】
本発明は、マイクロコンピュータを用いた加熱装置に関するものである。
【背景技術】
【０００２】
マイクロコンピュータ（以下マイコンと称す）を用いた加熱装置は、１つのマイコンで制御しているのが一般的である。
【０００３】
ところが、一般的な加熱装置である電子レンジには、ドアと操作部が一体化したものや、操作部を狭くしたため、制御基板のスペースがなく２つ以上の制御基板に分割して、２つのマイコンを使用しているものもある。
【０００４】
また従来、この種の加熱装置は、比較的安価に入手できるＲＯＭ容量の少なイマイコンに制御の一部を分担するとともに、主となるマイコンとの伝送も簡単に構成し、あたかも主となるマイコンの機能が拡大したと考えられる制御装置を備えるものが提案されている（例えば、特許文献１、２参照）。
【０００５】
また、炊飯器のように本体と蓋が分離しているものにも、２つのマイコンを使用し、操作・表示部と加熱制御部を分割した構成のものが提案されている（例えば、特許文献３参照）。
【０００６】
さらに、２つのマイコンを使用することで、１つのマイコンが異常な状態になった時、確実に加熱を停止できるよう安全性に考慮したものも提案されている（例えば、特許文献４参照）。
【特許文献１】特公平１−３２４１３号公報
【特許文献２】特開昭６０−２４０９２６号公報
【特許文献３】特開２００２−３６０４１９号公報
【特許文献４】特開平６−２４１４７８号公報
【発明の開示】
【発明が解決しようとする課題】
【０００７】
しかしながら、前記従来の構成では、本体と操作部が分離した商品において、本体が同じで操作部が異なる商品を複数機種開発する際、２つのマイコンを使用することにより、操作部のマイコンの制御は異なっていても、制御部のマイコンの変更量は少なくてもよいが、制御部のマイコンを共用することは、現実的な構成としては難しいものであった。
【０００８】
特許文献１〜３を参考にすれば、本体と操作部が分離した商品において、操作部からの入力と表示部への出力を１つのマイコンで行い、加熱制御をもう１つのマイコンで行うことで、２つのマイコンを用いて構成することは可能である。
【０００９】
その場合、操作部で入力した内容を第一のマイコンで判断し、第２のマイコンでその内容に応じて状態を管理し、加熱制御を行い、表示情報を第１のマイコンに返信することにより、第１のマイコンで表示部に出力するのが一般的である。
【００１０】
しかしながら、操作部や表示部が著しく異なる場合、操作した際の状態管理が商品ごとに異なるため、例えば３種類の商品開発を行う場合は、６種類のマイコンを開発する必要があり、コスト、開発期間は増大することになる。
【００１１】
また、加熱制御だけを第１のマイコンで行い、操作部からの入力情報による状態管理や表示部への出力を第２のマイコンで行う方法も考えられるが、センサーなどの加熱制御に必要な情報は、本体側でなければ入手出来ず、そのデータを第２のマイコン側に送信するにはデータ量が膨大になるなどの理由で、コスト、開発期間は増大しても、前述の方式が一般的であった。
【００１２】
一方、特許文献４を参考にすれば、安全性を考慮して加熱制御を行うマイコン側にも操作部の情報を入力する構成が望ましいが、操作部が分かれていれば容易であったとしても、１つの操作部から２つのマイコンへ分割して情報入力するには制御回路とマイコンの制御が複雑になり、現実的には難しいものであった。
【００１３】
さらに、省エネのために消費電力を削減するには、一般的にはマイコンも含め、制御基板の電源ラインを遮断する方法が主流であるが、時計機能を有する場合などは、マイコンの電源を遮断できないため、別に時計のカウントをするためのＩＣを設けるなど、高価な構成になっていた。
【００１４】
本発明は、このような従来の課題に鑑みてなされたもので、本体と操作部が分離した商品において、本体が同じで、操作部や表示部が著しく異なる複数の商品開発を行う際、２つのマイコンを使用して、１つのマイコンは共通にすることができる構成を実現でき、安全性、省エネにも配慮した加熱装置を提供することを目的とする。
【課題を解決するための手段】
【００１５】
上記従来の課題を解決するために、本発明の加熱装置は、被加熱物を載置するため加熱室と、操作部と加熱制御部を分割した２つ以上の制御基板と、第１の前記制御基板には前記操作部を有し、前記操作部には、調理メニューなどを設定する入力手段と、設定された内容などを表示する表示手段と、前記操作部の制御を行う第１のマイコンとを有し、第２の前記制御基板には前記加熱制御部を有し、前記加熱制御部には、被加熱物を加熱する加熱手段と、前記加熱制御部の制御を行う第２のマイコンにより構成され、前記２つのマイコンの制御方法として、第１のマイコンには、前記入力手段からの情報を制御する入力制御手段と、前記表示手段に表示を行う表示制御手段を有し、第２のマイコンには、前記加熱手段を制御する加熱制御手段を有し、前記２つのマイコンを接続するための通信制御部と、調理の設定状態や調理状態を管理する状態管理手段をそれぞれのマイコンに有する構成としたものである。
【００１６】
これによって、操作部と制御部が分割された構成において、２つのマイコンを使用する場合でも、それぞれのマイコンで状態管理手段を有しているため、お互いに独立した制御プログラムを作成することが可能になる。
【００１７】
また、本発明の加熱装置は、省エネのための消費電力を削減する方法として、前記２つのマイコンのうち、１つのマイコンの電源を遮断する構成としたものである。
【００１８】
これによって、時計機能を有する場合でも、どちらか１つのマイコンで、時計機能を作動させておけば、もう一方のマイコンを遮断することが出来るため、消費電力を削減することが可能になる。
【００１９】
また、本発明の加熱装置は、省エネのための消費電力を削減する方法として、前記２つのマイコンのうち、前記加熱制御手段を有する前記第２のマイコンの電源を遮断する構成としたものである。
【００２０】
これによって、時計機能を有する場合でも、表示部のある前記第１の制御基板の電源は
供給したままで、前記第２のマイコンを有する前記第２の制御基板側の電源を遮断することが出来るため、消費電力を削減することが可能になる。
【００２１】
同時に、前記加熱制御部を有している前記第２のマイコンが異常状態になっても前記第１のマイコンから電源を遮断することで緊急停止することが出来、安全性を確保することが可能になる。
【００２２】
また、本発明の加熱装置は、本体は共用で、操作部のみが異なる複数の加熱装置において、前記２つのマイコンのうち、前記加熱制御手段を有する前記第２のマイコンを共用し、前記操作部を有する前記第１のマイコンを交換することにより、複数の加熱装置を開発可能な構成としたものである。
【００２３】
これによって、本体は共用で、操作部のみが異なる複数の加熱装置の商品開発において、前記第２のマイコンを共用することが出来、マイコンの開発本数を減らすことが出来るため、コスト、開発効率を向上することが可能になる。
【発明の効果】
【００２４】
本発明の加熱装置によれば、本体は共用で、操作部のみが異なる複数の加熱装置の商品開発において、コスト、開発効率の向上が図れ、省エネ、安全性に優れた加熱装置を提供することができる。
【発明を実施するための最良の形態】
【００２５】
以下、本発明の実施の形態について、図面を参照しながら説明する。なお、この実施形態によって本発明が限定されるものではない。
【００２６】
（実施の形態１）
図１は、本発明に係る代表的な加熱装置である電子レンジの実施の形態における詳細ブロック図を示すものである。図２に、電子レンジの外観構成図、図３に操作部を示す。図２において、電子レンジの本体１内には、加熱室２が設けられている。本体１の前面には、メニューの選択等を行う複数のキー３と、調理時間等の設定を行うダイヤル１８、１９からなる操作部５と、メニューや調理時間等の表示を行う表示部６を設けている。
【００２７】
以上のように構成された高周波加熱装置について、図１、図２および図３を用いて以下にその動作、作用を説明する。
【００２８】
まず、操作部５にあるレンジキー７を押下すると、操作部５内にある入力手段８は、第１のマイコン９内にある入力制御手段１０に信号を送り、入力制御手段１０は、入力された情報を状態管理手段１１に信号を送り、状態管理手段１１は、現状の設定状態を制御し、状態に応じた表示情報を表示制御手段１２に送り、表示制御手段１２は表示手段１３に出力表示などを表示させている。
【００２９】
また、状態管理手段１１は、その設定状態を通信制御部１４に送り、通信制御部１４は、第２のマイコン１５内にある通信制御部１６と相互通信を行い、通信制御部１６は、受信した情報を状態管理手段１７に送っている。
【００３０】
ここで、ダイヤル１８が回されると、入力手段８から、入力制御手段１０に信号が送られ、入力制御手段１０は、入力された情報を状態管理手段１１に信号を送り、状態管理手段１１は、現状の設定状態を変更し、状態に応じた表示情報を表示制御手段１２に送り、表示制御手段１２は表示手段１３に変更された出力表示などを表示させている。
【００３１】
続いて、操作部５内のダイヤル１９により、調理時間が設定されると、入力手段８から入力制御手段１０に信号が送られ、状態管理手段１１により、表示制御手段１２へ信号が送られ、表示手段１３へ調理時間が表示される。
【００３２】
次に、操作部５内のスタートキー２０が押下されると、入力手段８から入力制御手段１０に信号が送られ、入力制御手段１０は、状態管理手段１１に信号を送り、状態管理手段１１は、調理が開始されたと判断し、状態を調理中の状態に変更すると共に、その設定状態を通信制御部１４に送り、通信制御部１４は、第２のマイコン１５内にある通信制御部１６と相互通信を行い、通信制御部１６は、受信した情報を状態管理手段１７に送っている。
【００３３】
ここで、状態管理手段１７は、加熱状態に移行したという情報を受信し、選択された調理の調理情報を元に、加熱制御手段２１に信号を送る。加熱制御手段２１は、初期出力値を選択し、加熱手段２２に情報を送信し、加熱手段２２によって加熱が開始される。なお、加熱制御手段は、温度や湿度などの情報を入手し、状況に応じて加熱制御を行うことも出来、調理に最適な加熱制御を実現している。
【００３４】
以上のように本実施の形態においては、マイコン９内の状態管理手段１１は、操作部５内の入力手段８の情報により設定状態を管理し、表示手段１１への表示情報を管理しているため、操作部５の情報は一元管理することができる。
【００３５】
また、マイコン１５内の状態管理手段１７では、設定状態と調理情報を元に、加熱制御の管理を行っているため、操作部５と制御部が分割された構成において、２つのマイコンを使用する場合でも、お互いに独立した制御プログラムを作成することが可能になり、操作部５を含んでいる制御基板２３と、加熱手段２２などの制御を行う加熱制御部２４を含んだ制御基板２５に分割することで、本体１が共用の場合、加熱制御を含んだ制御基板２５は同一で、操作部５の異なる制御基板２３を交換することが可能になり、マイコンの開発本数を減らすことが出来るため、コスト、開発効率の大幅な向上につながる。
【００３６】
（実施の形態２）
図４は、本発明に係る代表的な加熱装置である電子レンジの実施の形態における省エネ対応時の詳細ブロック図を示すものである。
【００３７】
図４において、本発明の加熱装置は、消費電力削減のため、マイコン９内の状態管理手段１１から、制御基板２５の電源を遮断する構成とすることにより、消費電力削減を削減する際、状態管理手段１１は、通信制御部１４および通信制御部１６を通じて状態管理手段１７に信号を送ることにより、状態管理手段１７は、消費電力削減可能な状態に移行する。
【００３８】
その後、一定時間後、状態管理手段１１は制御基板２５の電源を遮断することで、制御基板２５の消費電力は０になる。
【００３９】
これにより、時計表示機能を有していても、消費電力の削減が可能になる。さらに、時計表示が必要でない場合は、状態管理手段１１は、表示制御手段１２に表示を全て消灯させる指示を出すことにより、表示制御手段１２は、表示手段１３の表示を停止させ、さらなる消費電力の削減を行うことが可能になる。
【００４０】
また、２つのマイコンを使用する場合、制御基板２５側で加熱制御を行っているため、もしマイコン１５が暴走した場合を想定すると、加熱が停止できないなどの不具合が考えられるため、それを防止する回路等周辺回路の追加が必要になるが、この構成であれば、
通信制御が正常に行われなくなるため、状態管理手段１１が判断して、直接制御基板２５の電源を遮断することが可能になり、安全性を確保することが可能である。
【産業上の利用可能性】
【００４１】
以上のように、本発明にかかる加熱装置は、本体と操作部が分離した商品において、本体が同じで、操作部や表示部が著しく異なる複数の商品開発を行う際、２つのマイコンを使用して、１つのマイコンは共通にすることができる構成を実現でき、安全性、省エネにも配慮した加熱装置を提供することができ、マクロコンピュータを用いた加熱装置に適用できる。
【図面の簡単な説明】
【００４２】
【図１】本発明の実施の形態１にかかる加熱装置のブロック図
【図２】同加熱装置の外観図
【図３】同加熱装置の操作部の外観図
【図４】本発明の実施の形態２にかかる加熱装置のブロック図
【符号の説明】
【００４３】
１  本体
２  加熱室
５  操作部
８  入力手段
９  マイコン
１０  入力制御手段
１１  状態管理手段
１２  表示制御手段
１３  表示手段
１４  通信制御部
１５  マイコン
１６  通信制御部
１７  状態管理手段
２１  加熱制御手段
２２  加熱手段
２３  制御基板
２４  加熱制御部
２５  制御基板
【図１】
2009276016.tif 000003
【図４】
2009276016.tif 000004
【図２】
2009276016.tif 000005
【図３】
2009276016.tif 000006